(57)【特許請求の範囲】
【請求項１】
前部ウエストバンドセクションと、後部ウエストバンドセクションと、前記前後ウエストバンドセクションを接続する中間セクションと、長手方向と、横方向、前記前部又は後部ウエストバンドセクションから前記中間セクションに向かう方向として定義される長手内方向、前記中間セクションから前記前後ウエストバンドセクションに向かう方向として定義される長手外方向及び物品の長手方向の中心となる横方向に延びる線と、を有する物品であって、
前記ウエストバンドセクションの少なくとも一つの内面に接続された少なくとも第１のフィットパネルを備え、基本線が、前記フィットパネルが摩擦係数に対して異方性を呈する線として前記フィットパネルに形成されており、前記摩擦係数は前記基本線に沿った１方向に第１の摩擦係数と、前記基本線に沿った前記１方向とは反対方向の前記第１摩擦係数とは異なる第２の摩擦係数とを有するものであり、前記フィットパネルが、前記横方に延びる線にほぼ向かう前記第１の内方向の前記１の摩擦係数を呈し、前記第１の内方向とは反対の第２の方向に前記第１の摩擦係数とは異なる前記第２の摩擦係数を呈するように、前記フィットパネルが、前記ウエストバンドセクションの１つに接続されているものであることを特徴とする物品。
【請求項２】
前記第１の摩擦係数値は前記第２の摩擦係数値よりも小さいことを特徴とする請求項１に記載の物品。
【請求項３】
前記第１の摩擦係数値は前記第２の摩擦係数値よりも大きいことを特徴とする請求項１に記載の物品。
【請求項４】
バックシート層と、
該バックシート層に重なるように接続された液体透過性トップシート層と、
前記バックシート層と前記トップシート層との間に挟まれた吸収性本体と、
をさらに備えていることを特徴とする請求項１に記載の物品。
【請求項５】
バックシート層と、
該バックシート層に重なるように接続された液体透過性トップシートと、
前記バックシート層と前記トップシート層との間に挟まれた吸収性本体と、
前記ウエストバンドセクションを着用者の周りに固定するための、前記ウエストバンドセクションの少なくとも一つに固定された少なくとも一つのファスナーと、をさらに備えていることを特徴とする請求項１に記載の物品。
【請求項６】
前記第１及び第２の摩擦係数値の大きい方が約1.0以上であることを特徴とする請求項１に記載の物品。
【請求項７】
前記第１及び第２の摩擦係数値の大きい方が約2.4以下であることを特徴とする請求項１に記載の物品。
【請求項８】
前記第１及び第２の摩擦係数値の小さい方が約0.6以上であることを特徴とする請求項１に記載の物品。
【請求項９】
前記第１及び第２の摩擦係数値の小さい方が約1.9以下であることを特徴とする請求項１に記載の物品。
【請求項１０】
前記第１及び第２の摩擦係数値の小さい方が前記大きい方の値から減算された値は、約0.15以上であることを特徴とする請求項１に記載の物品。
【請求項１１】
前記第１及び第２の摩擦係数値の小さい方が前記大きい方の値から減算された値は、約1.50以下あることを特徴とする請求項１に記載の物品。
【請求項１２】
前記第１及び第２の摩擦係数値の大きい方と小さい方の比は約1.15：1以上であることを特徴とする請求項１に記載の物品。
【請求項１３】
前記第１及び第２の摩擦係数値の大きい方と小さい方の比は約3.00：1以下であることを特徴とする請求項１に記載の物品。
【請求項１４】
前記物品の前記横方向に沿って前記フィットパネルに弾性伸長力を与えるための弾性手段からなることを特徴とする請求項１に記載の物品。
【請求項１５】
前記フィットパネルは、前記基本線にほぼ沿って方向性列理を有する布からなることを特徴とする請求項１に記載の物品。
【請求項１６】
前記フィットパネルは、前記基本線にほぼ沿った布の列理に向けられた配向で構成された多くの繊維を有する布から構成されていることを特徴とする請求項１に記載の物品。
【請求項１７】
前記フィットパネルは不織布からなることを特徴とする請求項14に記載の物品。
【請求項１８】
前記フィットパネルは、ベルベット布からなることを特徴とする請求項14に記載の物品。
【請求項１９】
前記フィットパネルは、基材を有するフィルム材料から構成されており、突出要素が前記基材の表面から延びており、前記材料は前記基本線にほぼ沿って整列された方向性列理を有することを特徴とする請求項１に記載の物品。
【請求項２０】
前記少なくとも一つのウエストバンドセクションが対向した、側部方向に延びる耳部分を有しており、該耳部分が、これの体側表面に取付けられた前記フィットパネル領域を有することを特徴とする請求項１に記載の物品。
【請求項２１】
前記フィットパネルは、前記物品に組み込まれる分離した部材であることを特徴とする請求項１に記載の物品。
【請求項２２】
前記フィットパネルは前記物品に組込まれ、前記トップシート層の体側面と重なるように構成された分離して形成された部材であることを特徴とする請求項１に記載の物品。
【請求項２３】
前記フィットパネルは、前記物品に組込まれており、側部方向に延びる固定縁部分と、該固定縁部分から内方に配置された側部方向に可動な縁部分とを有するウエスト収納フラップを形成するように構成された分離して形成された部材であることを特徴とする請求項１に記載の物品。
【請求項２４】
前記フィットパネルは前記トップシート層と一体的に形成されることを特徴とする請求項１に記載の物品。
【請求項２５】
少なくとも一つの前記フィットパネルは前記前後ウエストバンドセクションのそれぞれの内面に接続されていることを特徴とする請求項１に記載の物品。
【請求項２６】
前記基本線は、約15度以上の側部方向外方の角度で傾斜するように構成されていることを特徴とする請求項１に記載の物品。
【請求項２７】
前記基本線は、前記物品の長手方向に対し約85度以下の側部方向外方の角度で傾斜するように構成されていることを特徴とする請求項１に記載の物品。
【請求項２８】
前記基本線は、前記物品の長手方向に対し約60度以下の側部方向外方の角度で傾斜するように構成されていることを特徴とする請求項１に記載の物品。
【請求項２９】
前記第２のウエストバンドセクションの外側面に接続された補助フィットパネルを少なくとも備え、該補助フィットパネルは、前記物品が使用中に配置されると、前記第１のフィットパネルと接触して作用し、前記補助フィットパネルに現れる第２の摩擦係数値とは異なる、前記補助フィットパネルに現れる第１の摩擦係数値を有する、前記補助フィットパネルが摩擦係数に対して異方性を呈する線として前記補助フィットパネルに形成された基本線に沿った方向に従属する摩擦係数値を有するように指定されており、前記補助フィットパネルの前記第１の摩擦係数値は、第１の内側方向にほぼ前記側部方向の線に向かって前記基本線に沿って現われ、前記第２の摩擦係数値は、前記第１の方向に反対方向の第２の外方向に前記基本線に沿って現れることを特徴とする請求項１に記載の物品。
【請求項３０】
前記第１の摩擦係数値は、前記第２の摩擦係数値よりも小さいことを特徴とする請求項29に記載の物品。
【請求項３１】
前記第１の摩擦係数値は、前記第２の摩擦係数値よりも大きいことを特徴とする請求項29に記載の物品。
【請求項３２】
前記フィットパネルは、前記物品が着用されるとき前記物品が落下することがないようなフィット性を与えるものであることを特徴とする請求項１に記載の物品。
【請求項３３】
前記フィットパネルは前記物品の前記後部ウエストバンドセクションに配置されていることを特徴とする請求項１に記載の物品。
【請求項３４】
前記フィットパネルは前記物品の前記後部ウエストバンドセクションに配置されていることを特徴とする請求項１に記載の物品。
【請求項３５】
前記補助フィットパネルは前記物品の前記後部ウエストバンドセクションに配置されていることを特徴とする請求項30に記載の物品。
【請求項３６】
前記補助フィットパネルは前記物品の前記前部ウエストバンドセクションに配置されていることを特徴とする請求項31に記載の物品。
【請求項３７】
前記後部ウエストバンドセクションは、一対の対向した側部方向に延びる後部耳部分を有しており、該各後部耳部分は、これの体側の面に取り付けられた前記補助フィットパネルの領域を有していることを特徴とする請求項32に記載の物品。
【請求項３８】
前記前部ウエストバンドセクションは、一対の対向した側部方向に延びる前部耳部分を有しており、該各前部耳部分は、これの外側の面に取り付けられた前記補助フィットパネルの領域を有していることを特徴とする請求項32に記載の物品。
【請求項３９】
前記物品は、該物品の長手方向に延びる中心線の対向した端部に配置された一対の弾性化した長手方向に延びる収納フラップを含んでおり、前記フィットパネルは、複数の別個に、間隔のあけられて離れたフィットパネル部分を含んでおり、各フィットパネル部分は、前記収納フラップの一方の少なくとも一部の体側面を形成するように接続されていることを特徴とする請求項１に記載の物品。
【発明の詳細な説明】
本発明の分野
本発明は、衣類物品に関する。より詳細には、本発明は、改善されたフィット性と性能を有する吸収性物品、特に使い捨て吸収性物品に関する。
発明の背景
使い捨ておむつ及びこれとは異なる使い捨て吸収性物品のような従来の衣類物品では、一般的に物品の指定されたウエストバンドセクションを着用者に取付ける接着剤あるいは機械的ファスナーを採用してきた。さらに、ウエスト弾性部、脚部弾性部、弾性化ライナー及び弾性化された外側カバーの様々な構造が衣類物品に使われ、着用者の体型にフィット性を作り出し、このフィット性を維持する助けとなってきた。
上述に記載された従来の衣類物品では、確実なレベルの所望のフィット性を保障しておらず、着用の間、たるんだり落ちたりすることになる。衣類構造では、所望レベルのフィット性と心地よさを適切に維持しておらず、衣類が吸収性物品のように構成されている場合、液体及びこれとは別の排泄物が漏れすぎることがあった。このため、より一致したフィット性と、たるみと落下に対するより大きな抵抗を有する改善された衣類が依然として必要とされてきた。
本発明の簡単な説明
一般的に、本発明は、前部ウエストバンドセクション、後部ウエストバンドセクション、及び前後ウエストバンドセクションを接続する中間セクション、長手方向、物品の長手中央にある側部方向に延びるラインとを含む別個の物品を提供する。少なくとも第２のフィットパネルがウエストバンドセクションの少なくとも一つの内面に接続されており、フィットパネルは、フィットパネルの基本線に沿った方向に従属する摩擦係数値を有する。第１の摩擦係数値は、第１の内側基本方向の基本線に沿ったほぼ側部線に沿ってフィットパネル上を滑るときに現われ、第２の摩擦係数値は、第１の基本方向に対向した第２の外側基本方向の基本線に沿ってフィットパネルを滑るときに現れる。
様々な態様において、本発明の物品は、たるみと落下に対しより大きな抵抗を有するより確実で、より一致したフィット性を提供できる。衣類が吸収性物品である場合には、落下に対し改善された抵抗が、衣類と着用者の間のギャップを減少させることになり、このために、液体もしくは半液体排せつ物の漏れが減少することになる。
【図面の簡単な説明】
本発明は、本発明の以下の詳細な記載と図面を参照すれば、より完全に理解でき、更なる利点も明白になるであろう。
図１は、本発明のフィットパネルを組み入れたおむつ物品の上面図である。
図１Ａは、図１に図示した物品の概略的側部方向の断面図である。
図２は、ウエストフラップ部材の面する側の表面に配置されたフィットパネルを有する本発明の態様を組み入れた物品の上面図である。
図２Ａは、図２に図示した物品の概略的側部方向の断面図である。
図３は、複数のフィットパネル部分を組み入れた本発明の物品の上面図である。
図３Ａは、図３に図示した物品の概略的側部方向断面図である。
図４は、トップシート層の面する側の面上に配置された複数のフィットパネルセクションを有する本発明の一態様を組み入れた物品の上面図である。
図４Ａは、図４に図示した物品の概略的側部方向断面図である。
図５は、少なくとも一つの補助フィットパネルを有する本発明の１態様を組み入れる物品の上面図である。
図５Ａは、図５に図示した物品の線５Ａ−５Ａに沿った概略的側部断面図である。
図５Ｂは、図５に図示した物品の線５Ｂ−５Ｂに沿った概略的側部断面図である。
図６は、複数のフィットパネル部分が一対の収納フラップの体に面する面上に配置されているときの本発明の１態様の上面図である。
図７は、物品の体側面に配置されたウエストフラップ部材及び輪郭が形成されたフィットパネルを有する本発明の物品の上面図である。
図７Ａは、図７に図示した物品の概略的側部断面図である。
図８は、複数のパネル部分が、三次元の衣類を形成するために結合用に指定されている複数の側部部材の体側面上に配置されている場合の、本発明の部分的に組立てられた衣類物品の上面図である。
図８Ａは、図８に図示された物品の概略的斜視図を表す。
図９は、ほとんどの繊維が実質的に共通の方向に沿って傾斜されている布の概略的断面図である。
本発明の詳細な説明
本発明の様々な態様と実施例が、使い捨ておむつのような使い捨て吸収性物品の内容に記載されている。しかし、本発明は、キャップ、ガウン、靴カバー、女性用ケア製品、失禁用衣類等のような使い捨て可能な別の物品にも使用できることが容易にわかるであろう。一般的に、使い捨て衣類のような使い捨て物品は、使用に限界があり、再使用するために洗われたり、清浄にされることを意図するものではない。例えば、使い捨ておむつは、着用者により汚され始めた後に廃棄される。本発明の内容において、機械的結合システムは、所望の固定を行うように機械的に内部係合する協働成分を含むシステムである。
図１と図１Ａを参照すると、使い捨ておむつ20のような物品が、第１の前部ウエストバンドセクション38、第２の後部ウエストバンドセクション40、前後ウエストセクションを相互に接続する中間セクション42、長手方向86、横方向88、および物品20の長手方向中央にある側部方向に延びる横線100を含む。少なくとも第１のフィットパネル36がウエストバンドセクションの少なくとも一方の内面66に接続されており、フィットパネルは、該フィットパネルの非等方性の基本線54に沿った方向従属摩擦係数を有する。第１の摩擦係数値は、第１の内側基本方向の基本線に沿ってほぼ横側部方向の線に向かってフィットパネル上を滑るときに、現われ、第２の摩擦係数値は、第１の基本方向62に対向する第２の外方向の基本方向64の基本線に沿ってフィットパネル上を滑るときに現れる。
本発明の様々な態様に組み入れられた別個のフィットパネルは、着用者の身体に対し比較的上方となる方向に物品のウエストバンドセクションを“歩かせようとする”有効な位置決め力を与えるので有効である。特定の態様において、方向に対する摩擦係数値が着用者の動作と協働し、おむつを再配置するための作動的“歩行”効果を作り出すようになっている。このために、物品は、たるみが少なくなり、物品の縁と着用者との間のギャップを少なくするといった状態で、フィット性を改善することになる。
本発明の物品は吸収性使い捨ておむつ20を形成するように構成されている。例えば、おむつは、バックシート層22と、バックシート層に接続され一体化された液体トップシート層24及び吸収性本体26のような、バックシート層とトップシート層との間に挟まれた吸収性構造を含む。
様々な態様において、衣類の中間股領域のたるみと落下を減少させるので有効であり、着用者のウエスト領域の周りで所望のフィット性を維持できる。吸収性物品に組み込まれると、本発明は、望ましくないギャップと漏れを減少させることができる。
図１及び図１Ａを参照すると、長手方向の長さ方向86と側部横方向88とを有するおむつ20のような吸収性衣類物品を提供する。前部ウエストバンドセクション38は、側部方向に対向した、前側一対の側部縁領域118を有しており、背部ウエストバンドセクション40は側部方向に対向した背部の一対の側部縁セクション116を有し、中間セクション42は前後ウエストバンドセクションを接続して、おむつ股領域を形成する。物品のバックシート層22は、バックシート層の外側の面に配置された指定されたファスナーランドゾーン78を有する。液体透過性トップシート層24がバックシート層22に面するように重ねられており、吸収体本体26はバックシート層22とトップシート層24との間に結合されて作動し、これらの間に固定されている。
図１は、本発明の代表的使い捨ておむつ20を平坦に非収縮状態（即ち、全弾性部のギャザーをなくし収縮部分を取除いた状態で）表した平面図である。構造のうちほとんどの部分が部分的に切断され、おむつ物品の内部構造をより明白に示し、着用者に接触するおむつの体側面が観察者に見えるようになっている。おむつの外側の縁は、長手方向に延びる側部縁マージン110と側部方向に延びる端部縁マージン112とを備えた外周を形成する。側部縁はおむつのための脚部開口部を形成し、任意的には曲線に形作られている。端部縁を直線で図示しているが、任意的には曲線でもよい。物品は、背部ウエストバンドセクション40のような第１のウエストバンドセクションと、前部ウエストバンドセクション38のような第２のウエストバンドセクション及び第１及び第２のウエストバンドセクションを相互に接続する中間セクション42とを有する。
おむつ20は、一般的に液体透過性トップシート24、実質的に液体不透過性バックシート22、トップシートとバックシートとの間に配置され接続された吸収性構造26、汚物処理部分84、脚部弾性部34及びウエスト弾性部32のようなエラストマー部材を含む。汚物処理部分は、吸収性構造の保持部分と液体連通して配置されており、トップシート24、バックシート22、吸収性構造26、汚物処理部分84、及び弾性部材34，32を共に結合して様々な既知のおむつ構造にしてもよい。おむつは、さらに、弾性化されているか、エラストマーを含む収納フラップ82、側部パネル部材90を含む。
エラストマーサイドパネルと、選択的に構成されたファスナータブを含む物品が、動的にフィットするおむつとしてＴ．ロエスラー他に1993年12月16日に出願された米国特許出願番号第168,615号に記載されている。所望の結合システムを形成するための様々な技術が1995年３月21日に付与された動的にフィットするおむつを製造するための方法としてＴ．ロエスラー他に付与された米国特許第5,399,219号と、弾性化された耳部分を組み立てるための方法として1994年８月３日にＤ．フライズにより出願された米国特許出願番号第286,086号と、1995年４月３日にＤ．フライズ他により出願された米国特許出願番号第08／415,383号に記載されている。本明細書は、これらの先行技術を引用することにより、これの特許明細書の記述を本明細書の一部とする。
おむつ20は、図１に図示するように、長手方向に延びる長手方向86と、側部方向に延びる幅方向88を有する。おむつは、長方形、Ｉ字形状、ほぼ砂時計形、またはＴ字形状のような形状を有していればよい。Ｔ字形状に関し、Ｔの横棒がおむつの前部ウエストバンド部分を構成しているか、おむつの背部ウエストバンド部分を構成している。
トップシート24バックシート22とはほぼ同一の広がりであればよく、吸収性構造26の対応する寸法よりも一般的に大きく、これを超えて延びている長さと幅とを有し、対応する側部マージン110と端部マージン112とを形成する。トップシート24は、バックシート22に組み合わされており、これの上に重ねられて、おむつの外周を形成することになる。ウエストバンド領域は、おむつの一部を構成しており、着用されると、全体的に又は部分的に、着用者のウエストまたは下半身をカバーしたり、取り囲むようになっている。中間股領域42は、反復した流体排泄が一般的におむつまたは別の使い捨て吸収性物品内で発生する領域である。
バックシート22は、一般的に吸収性本体26の外側表面に沿って配置されており、液体透過性材料から構成されていればよいが、好ましくは液体に対し実質的に不透過性であるように構成された材料から作られていればよい。例えば、一般的なバックシートは薄いプラスチックフィルム、または別の可撓性のある実質的に液体不透過性材料から製造できる。本明細書に使用されている、“可撓性”とは、着用者の人体の全体的形状及び輪郭に追従し、簡単に一致するような材料のことをいう。バックシート22は、吸収体本体26に含まれた排泄物が、オムツ20と接触するベッドシート及び上着のような物品を濡らさないようにする。本発明の特定の実施例において、バックシート22は、約0.012ミリメートル（0.5ミル）から約0.051ミリメートル（2.0ミル）の厚さを有する、ポリエチレンフィルムのようなフィルムを含むことができる。例えば、バックシートフィルムは、約1.25ミルの厚さを有することができる。
バックシートの別の構造では、所望レベルの液体不透過性を、吸収性本体に近接する選択された領域に与えるように、全体的、または部分的に構成された織りまたは不織繊維ウェブ層から構成されていればよい。例えば、ガス透過性であるか、透過性ではないポリマーフィルム層に積層されたガス透過性不織布層を含んでいればよい。繊維、布状のバックシート材料の別の例が、0.6ミル（0.015ｍｍ）のポリプロピレンで吹き込まれたフィルムと、0.7オンス／平方ヤード（23.8ｇｓｍ）ポリプロピレンスパンボンド材料（2デニール繊維）とから構成された伸長して薄くなる積層材料もしくは伸長熱積層材料から構成できる。この種の材料は、商業的にキンバリークラーク社から入手できるＨＵＧＧＩＥＳ▲Ｒ▼ＳＵＰＲＥＭＥオムツの外側カバーを形成している。バックシート22は、一般的に物品の外側カバーを形成している。しかし、任意的には、物品は、バックシートに加えられた分離した外側カバー成分部材を含む。
バックシート22は、実質的に液体排泄物がバックシートを通らないようにしながら、水蒸気のようなガスが吸収性本体26から出ることができる微孔性通気可能材料を含んでいればよい。例えば、通気性バックシートは、所望レベルの液体不透過性を与えるようにコーティングされたか、変性された微孔性ポリマーフィルムまたは不織布から構成されていればよい。例えば、適切な微孔性フィルムは、日本の東京に所在の三井東圧化学社から入手できるPMP-1材料、またはミネソタ州ミネアポリス所在の３Ｍカンパニーから入手可能なXKO-8044ポリオレフィンフィルムである。バックシートはエンボス加工されているか、もしくはパターン仕上げまたはつや消し仕上げが施されており、美的に楽しめる外観を呈するようになっている。
本発明の様々な構造において、バックシート22又は収納フラップ82のような成分が，耐水性と限られたと透過性を有しながら、ガスに対し透過性であるように構成されている場合には、耐水性材は、これを通って実質的に漏れることなく少なくとも約45ｃｍの水ヘッドを支持できる構造を有することができる。液体貫通に対する材料の抵抗を求めるための適切な技術が、1968年12月31日の、連邦試験法標準FTMSである。
バックシート22の大きさは、一般的に吸収性本体26と選択された特定のオムツ設計とにより求められる。例えば、バックシート22は、ほぼＴ字形状、ほぼＩ字形状または変形された砂時計形状を有していればよく、約1.3センチメートルから2.5センチメートル（約0.5から1.0インチ）の範囲の距離ような選択された距離で吸収性本体26の末端縁を超えて延びており、少なくとも側部及び端部マージンを形成するようになっている。
トップシート24は、着用者の皮膚に追従し、ソフトな感触で刺激を与えないような体側に面する面を提供する。更に、トップシート24は、吸収性本体26よりも親水性が少なく、液体透過できるように充分に孔を有し、トップシートの厚さを簡単に液体が通過でき、吸収性本体に達することができるようになっている。
適当なトップシート層24が、有孔性フォーム、網状フォーム、穴あきプラスチックフィルム、天然繊維（例えば、木材又は綿繊維）、合成繊維（例えば、ポリエステル又はポリプロピレン繊維）または天然及び合成繊維との組み合わせからなるウェブ材料から広く選択されて製造できる。トップシート層24は、一般的に吸収性本体26に保持された液体を着用者の皮膚から分離するのに使用される。
様々な織りおよび不織布をトップシート24に使用できる。例えば、トップシートは、所望の繊維からなるメルトブロー又はスパンボンドウェブから構成され、結合されカーディングされたウェブでもよい。様々な布が、天然繊維、合成繊維又はこれらの組み合わせから構成できる。
本発明の記載において、不織ウェブとは、紡織織りまたはニッティングプロセスを使わないで形成される繊維材料ウェブのことをいう。
トップシート布は実質的に疎水性材料から構成されており、疎水性材料を界面処理剤で処理するか、もしくは所望レベルの湿潤性及び親水性を与えるように処理すればよい。本発明の特定の実施例において、トップシート24は、約2.8から3.2デニールの繊維であり、約22ｇｓｍの坪量と約0.06gm／ccの密度を有するウェブに形成される。布は、約0.28％のTritonX-102界面処理剤で処理される。
界面処理剤は、スプレー、印刷、ブラッシュコーティング等のような従来の手段により付与される。
トップシート24とバックシート22は作動可能な手段で共に組合わされる。本明細書において、“組み合わされる”とは、トップシート２４をバックシート22に直接結合することによって結合される構造と、トップシート24を中間部材に結合し、バックシート22に結合するような構造を含む。例えば、トップシート24とバックシート22は、接着剤結合、超音波結合、熱結合、プリント、ステッチのような取付け手段（図示せず）によって、またはこれらの組み合わせと同様に本分野において公知の取付け手段によって、オムツ周縁部において相互に直接取付けることができる。例えば、接着剤の均一な連続層、パターン化された接着層、スプレーパターン接着、分離したラインの列、構造接着剤のスワール又はスポットがトップシート24をバックシート22に固定するのに使用されてもよい。
上述に記載の手段を用いて、本明細書に記載する物品の様々な別の成分を適切に結合し、組立て又は固定してもよいことが簡単に理解できる。
吸収性本体26は、吸収された液体及び別の排泄物を保持し、溜めるために、選択された親水性繊維と高吸収性粒子から構成された図示したような吸収性パッドのような、保持部分を含む吸収性構造を形成する。吸収性本体は、トップシート24とバックシート22との間に配置され挟まれて、オムツ20を形成する。吸収性本体は、一般的に圧縮可能で心地よく、着用者の皮膚に対し刺激を与えず、人体排泄物を吸収し、保持できる構造を有する。本発明に関し、吸収性吸収体構造は単一の一体となった材料片から構成されているか、もしくは作動的に組立てられている複数の別個の片から構成されていればよい。
様々な種類の湿潤可能な親水性繊維材料を吸収性本体26の成分を形成するのに用いることができる。適当な繊維の例がセルロース繊維のような本質的に湿潤可能な材料から構成された自然に発生した有機繊維、レーヨン繊維のようなセルロース、セルロース誘導物から構成された合成繊維、ガラス繊維ような本質的に湿潤可能な材料から構成された無機繊維、特定のポリエステル又はポリアミド繊維のような本質的に湿潤可能な熱可塑性繊維から作られた合成繊維、適切な手段によって疎水化されたポリプロピレン繊維のような非湿潤性熱可塑性ポリマーから構成された合成繊維を含む。繊維は、例えば、シリカで処理するか、適切な親水性湿分を有し、繊維から簡単に取除けない材料で処理することによって、または繊維形成中か、形成後に、非湿潤性疎水性繊維を親水性ポリマーで非湿潤性疎水性繊維を囲むことによって親水化される。本発明の目的において、上述した様々なタイプの繊維の選択された混合物を用いてもよいことが考えられる。
本明細書に使用する、“親水性”とは、繊維と接触する水溶液によって濡れる繊維、または繊維の表面のことを意味する。材料のぬれる程度は、含まれている吸収体と材料の接触角度と表面引張力について記載できる。特定の繊維材料または繊維材料の混合物の湿潤性を測定するのに適した設備と技術がカン（Cahn）SFA-222表面力分析システム又はこれとほぼ同一のシステムによって得られる。
このようなシステムで測定されると、90度未満の接触角を有する繊維が湿潤性であると定義され、90度よりも大きい接触角を有する繊維が非湿潤性であると定義される。
吸収性本体構造26は、高吸収性材料の粒子と混合された、セルロースフラフのような親水性繊維マトリックスから構成できる。特定の構造において、吸収性本体26は、超吸収性ヒドロゲル生成粒子及び合成ポリマー繊維との混合物もしくは、超吸収性粒子と天然繊維又は合成ポリマー繊維との混合物からなる繊維コフォーム材料との混合物から構成されていればよい。超吸収性粒子は、親水性繊維とほぼ均一に混合されているか、非均一に混合されていればよい。例えば、超吸収性粒子の濃度は、吸収性構造の厚さ（ｚ方向）の相当部分にわたり非段階的な勾配で配列されており、吸収性本体体側部分に向かって濃度がより小さくなり、吸収性構造の外側に向かって濃度が比較的高くなる。適当なｚ勾配構造が、ケレンバーガ他に1987年10月13日に付与された米国特許第4,699,823号に記載されており、本発明は、この特許明細書の記載を本発明の一部にする。あるいは、超吸収性粒子の濃度は、吸収性構造の厚さ（ｚ方向）の相当部分にわたり非段階的な勾配で配列されており、吸収性本体体側部分に向かって濃度がより大きくなり、吸収性構造の外側に向かって濃度が比較的小さくなっている。超吸収性粒子は、親水性繊維のマトリックス内で一般的に別個の層の中に配置されていてもよい。更に、２つか３つの異なった種類の超吸収体が繊維マトリックス内又はマトリックスに沿って異なる場所において選択的に配置されていればよい。
高吸収性材料は、超吸収体のような吸収ゲル材料から構成されていればよい。吸収性ゲル材料は、天然、合成及び変成された天然ポリマー材料とできる。架橋されたとは、通常は水溶性の材料を、効率的に、ほぼ水不溶性であるが膨潤にする手段のことをいう。このような手段は、例えば、物理的交絡、液晶ドメイン、共有結合、イオン錯体および会合、水素結合のような親水性会合、及び疎水性会合またはファンデルワールス力を含む。
合成吸収性ゲル材料ポリマーがポリ（アクリル酸）およびポリ（メタアクリル酸）のアルカリ金属とアンモニウム塩、ポリ（アクリルアミド）、ポリ（ビニール・エーテル）、エーテルとアルファオレフィンとの無水マレイン酸コポリマー、ポリ（ビニール・ピロリドン）、ポリ（ビニールモルホリン）、ポリ（ビニール・アルコール）およびこれらの混合物とコポリマーを含む。吸収性本体において使用するのに適したポリマーは、水素化されたアクリロニトリルーグラフトスターチ、アクリル酸グラフトスターチ、メチルセルロース、チトサンカルボキシメチル・セルロース、ヒドロキシプロピル・セルロース及びアルギネート、キサンタンガム、ローカストベーンガムのような天然ガムを含む。天然吸収性ポリマーと合成吸収性ポリマーを全体的に又は部分的に混合したものが本発明において有効である。別の適当な吸収性ゲル材料については、1975年８月26日にアサーソン他に付与された米国特許第3,901,236号に開示されている。合成吸収性ゲルポリマーを作るための方法が、1978年２月28日にマスダ他に付与された米国特許第４、076,663号およびツバキモトに1981年８月25日に付与された同第4,286,082号に記載されている。
合成吸収性ゲル材料は。一般的に濡れるとヒドルゲルを形成するキセロゲルである。しかし、ヒドロゲルトは、材料が濡れている場合、濡れていない場合の両者のことを意味するのに、一般的に使われている。
前述したように、吸収性本体26において使用された高吸収性材料は、一般的に別個になった粒子の形態である。粒子は、所望の形状例えば螺旋状、または半螺旋状、立方形、ロッド状、多面体等の形状であればよい。ニードル、フレーク及び繊維ような最大寸法／最小寸法の大きな比を有する形状も本明細書において考えられる。吸収性ゲル材料の粒子の塊が吸収性本体26に使用されてもよい。使用に関し望まれるのは、平均の大きさが約20ミクロンから約１ミリメートルの大きさを有する粒子である。本明細書に使用される粒子大きさとは、個々の粒子の最小寸法の重み付けされた平均を意味する。
親水性繊維と高吸収性粒子が約400から900ｇｓｍの平均である平均複合坪量を形成するように構成できる。本発明の所定の態様において、平均複合坪量は約500から800ｇｓｍであり、好ましくは約550から750ｇｓｍの範囲であり、所望の性能を与えるようになっている。
高吸収性材料の収納を改善するために、吸収性本体構造26が、これのすぐ近くに配置されているラップシート28のようなオーバラップを含むことができ吸収性構造に結合されてもよいし、物品の様々な別の成分に結合されてもよい。ラップシートは、吸収性本体の主要体側及び外側面をカバーする吸収性材料層であるのが好ましく、吸収性本体のほぼ全外周縁を取り囲み、実質的にこれの周りに完全なエンベロープを作ることが好ましい。あるいは、ラップシートは、吸収性本体の主要体側及び外側面をカバーし、吸収性本体の側部方向側部縁のみを実質的に取り囲んでいる吸収性ラッピングを形成することができる。このように、ラップシート側部方向側部縁の線形及び内側に曲線状部分が吸収性本体の周りで閉じている。しかし、このような構造において、ラップシートの端部縁は、物品のウエストバンド領域において、吸収性本体の側部縁の周りで完全に閉ざされている。
例えば、完全なラップシート28、あるいは少なくともラップシートの体側層は、メルトブローポリプロピレン繊維のようなメルトブロー繊維からなるメルトブローウェブから構成されていればよい。ラップ28の別の例は、約50／50からなる広葉樹／針葉樹繊維混合物のティッシュのような低有孔性セルロースウェブから構成されていてもよい。
吸収性ラップ28は、分離した体側ラップ層と分離した外側ラップ層を含む多要素ラップシートから構成されていればよく、各層は吸収体26の全周縁部分もしくは周縁部分のいくらかを超えて延びている。例えば、ラップシートのこのような構造は、吸収性本体26の周縁のほぼ完全なシールと閉鎖を行うことを容易にする。図示したおむつの後部ウエストバンド部分において、吸収性ラップは、吸収性本体の周縁部からより長い距離だけ離れて構成されており、おむつの後部セクションに不透明さと強度を加えるようになっている。図示した実施例において、吸収性ラップ28の体側及び外側層は、吸収性本体の周縁を少なくとも約１／２インチ超えて延びることができ、外側に突出するフランジ式の結合領域を形成するようになっており、この領域の上を吸収性ラップの体側部分の周縁部が吸収性ラップの外側部分の周縁に完全に、または部分的に接続されていればよい。
ラップシート28の体側及び外側層は実質的に同一の材料、もしくは別の材料から構成されていればよい。例えば、ラップシートの外側層は、針葉樹パルプから構成された湿潤に対し強度のあるセルロース繊維のような、比較的多くの孔を有する比較的低坪量の材料から構成されていればよい。ラップシートの体側層は、比較的的少ない孔を有する前述したラップシート材料の一つから構成されていればよい。低有孔性の体側層は、吸収性粒子が着用者の皮膚に移動することをより良い状態で防ぐことができ、高有孔性及び低坪量の外側層は費用を安くできる。
おむつ20は、物品の吸収性本体に入るような液体状排泄物を少なくし、分散する助けとなる汚物処理層84も含む。例えば、図示した実施例において、汚物処理層84はトップシート層24の体内側に面する側面の上に配置できる。あるいは汚物層84は、トップシート層24の外側面に近接して配置されていればよい。従って、汚物層は、トップシート24と吸収性本体26との間に配置されている。適切な汚物処理層84が、1994年３月４日にＣ．エルスとＤ．ビショップによりパーソナルケア吸収性物品等に関する繊維不織ウェブ汚物層として出願された米国特許出願番号206,986号、1994年３月４日にＣ．エルスとＲ．エバレットによりパーソナルケア吸収性物品等に関する改良された汚物処理繊維不織ウェブとして出願された米国特許出願番号206,069号に記載されており、本発明は、これら特許明細書を引用し、これら特許明細書を本発明の明細書の一部とする。
脚部弾性部材34が、おむつ20の側部マージン110に配置されている。弾性部材が弾性的に収縮可能な状態でオムツ20に固定されているので、通常の応力を受けた場合において、弾性部材がおむつ20に対して効率的に収縮できるようになっている。弾性部材は、少なくとも２つの手段，例えば、おむつ20が非収縮状態にある間、伸長され固定されるような手段で、弾性的に収縮可能な状態で固定されている。あるいは、おむつ20は、例えばプリーツを形成することによって収縮されてもよく、弾性部材が弛緩し、非伸長状態で、非収縮状態にありながら、弾性部材がおむつ20に固定され、接続されている。熱収縮弾性材料のような別の材料も衣類にギャザーを形成するのに使用することができる。
図１に図示した実施例において、局部弾性部材34は、主におむつ20の中間股領域42のほぼ全長にわたり延びている。あるいは、弾性部材34はおむつ20の全長にわたり延びていてもよいし、もしくは特定のおむつ設計に望まれる弾性的に収縮可能な線の配列を形成するのに適した長さにわたり延びていてもよい。
弾性部材34は様々な構造を有していればよい。例えば、個々の弾性部材34の幅は、0.25ミリメートル（0.01インチ）から25ミリメートル（1.0インチ）か、それ以上であればよい。弾性部材は、弾性材料の単一ストランドから構成されてもよいし、または、直線又は曲線構造で塗布されてもよい。ストランドが並行ではない場合には、２つかそれ以上のストランドが交差していたり、そうでなく弾性部材内で接続されている。弾性部材が公知のいくつかの手段でおむつに固定されている。例えば、弾性部材は超音波で結合され、様々な結合パターンを用いて加熱及び加圧シールされてもよいし、スプレーパターンかスワールパターンのホットメルト接着剤でオムツ20に接合されてもよい。
本発明の特定の実施例において、脚部弾性部材34は、複数の個々の弾性ストランドからなるグループになったセットの弾性部が取付けられているキャリヤシートを含む。弾性ストランドは交差してもよいし、相互に完全に分かれていてもよい。例えば、キャリヤシートは、非エンボス加工のポリプロピレン材料のような0.002cmの厚さのポリマーフィルムであればよい。例えば、弾性ストランドは、デラウェア州、ウェイリントン所在のデュポン社から入手可能なLycra社から構成できる。各弾性ストランドは、約470から1500デシテックス（dtx）の範囲であり、約940から1050dtxであればよい。本発明の特定の実施例において、例えば、３つか４つのストランドは各弾性化された脚部バンドに利用できる。
さらに、脚部弾性部34は、全体的に直線でも、任意的には曲線でもよい。例えば、曲線弾性部は、おむつの長手方向の中心線に向かって内側に折れ曲がっている。特定の構造において、弾性部の曲線は、おむつの側部方向の中心線に対し対称的に構成されていなくてもよいし、対称的に配置されていなくてもよい。曲線弾性部は、内側と外側に折れた反射形曲線を有していてもよいし、弾性部の長手方向の中心は任意的に、おむつの前後ウエストバンドのいずれかの方向に向かって選択された距離だけオフセットしており、所望のフィット性と外観を与えるようになっている。本発明の特定の実施例において、組になった曲線状弾性部の最も内側の点（頂点）がおむつの前後ウエストバンドの方向にオフセットしており、外方向に折れ曲がった部分は、おむつの前部ウエストバンドの方に向いて配置できる、図示するように、おむつ20は、前後ウエストバンド38，40のいずれか、または双方の長手方向のいずれかに配置されたウエスト弾性部32を含むことができる。
ウエスト弾性部は、エラストマーフィルム、弾性フォーム。複数の弾性ストランド、エラストマー繊維、等のような適切なエラストマー材料から構成されている。例えば、適当な弾性ウエスト構造に付いて、リイバート他に付与された米国特許版同第4,916,005号に記載されている。本発明は、この発明の開示を本発明の明細書の一部として組み込む。
おむつ20は、おむつの長手方向に沿ってほぼ長手幅方向に延びる一対の弾性化された収納フラップ82を含むことができる。収納フラップは、一般的に脚部弾性部34から側部方向内方に配置されており、おむつの長さ長手方向中心線の各側部の上にほぼ対称的に配置されている。図示した構造において、各収納フラップ82は、実質的に固定された縁部分81と実質的に可動な縁部分83とを有し、各収納フラップが着用者の身体に密接に接触し、着用者体型に一致する助けとなるように作動的に弾性化されている。適当な収納フラップ構造の例が、Ｋ．エンロエに1987年11月３日に付与された米国特許番号第4,704,116号に記載されており、本発明はこの特許明細書の記載を引用することにより、本発明の一部とする。収納フラップは、所望のように湿潤可能又は非湿潤性材料から構成されていればよい。
さらに、収納フラップは、実質的に液体不透過性であり、ガスだけに透過性であってもよいし、ガスと液体の双方に対し透過性であってもよい。別の適当な収納フラップ構造が、1994年３月４日に出願されたＲ．エバレット他の米国特許シュツガ番号第206,816号の改良された汚物処理を有する吸収性物品に記載されており、この特許明細書を本発明の一部とする、任意的に、本発明の別の構造において、おむつ20は、1995年12月18日にＤ．ラックス他により、出願された米国特許出願番号560,525号の、改良された弾性マージンと収納システムを備えた吸収性物品に開示されたような弾性化されたウエストフラップを含んでいればよい。収納フラップの構造に類似して、ウエストフラップ所望のように、湿潤可能な、もしくは湿潤不能な材料から構成されていればよい。ウエストフラップ材料はガスのみに透過性であってもよいし、ガスと液体の双方にたいし透過性であってもよい。
再結合可能な再ファスナーシステムを形成するために、おむつ20は、指定されたランドゾーン78（例えば図１Ａ参照）を含むことができ、ファスナータブ44の取外し可能な取付けを受取るための作動的ターゲット領域を形成できる。本発明の特定の実施例において、ランドゾーンのパッチをバックシート層22の外面上に位置決めでき、おむつの前部ウエストバンド部分38上に配置されている。ランドゾーンとファスナータブ44との間の結合機構は、接着、接合、機械的又はこれらの組み合わせであればよい。取外し可能な内部係合機械的結合システムを使う構造は、例えば、機械的ファスナーの第１部分をランドゾーン78上に配置し、機械的ファスナーの第２の協働部分をファスナータブ44上に配置できる。例えば、フックとループファスナーに関し、フック材料46は、ファスナータブ44に作動的に接続でき、ループ材料80は、ランドゾーン78に作動的に結合できる。あるいは、ループ材料は、ファスナータブ44に作動的に結合されており、フック材料は、ランドゾーンに作動的に結合される。
本発明の様々な実施例において、テープファスナータブ44がウエストバンド38と40のいずれか、または双方の側部端部領域116と118のいずれかまたは双方に配置できる。例えば、図示した実施例は、背部ウエストバンド40の遠い方の側部縁に配置されたファスナータブ44を有する。
図１を参照すると、例えば、物品が側部パネル部材90をシステムを含むことができる。特定の構造において、各側部パネル部材90は、図示した背部ウエストバンド部分40のような少なくとも一つのバックシート22の対向した右側部両端部から側部方向に延びており、物品の末端側部セクションを形成するようになっている。さらに、各側部パネルは、側部方向に延びる末端ウエストバンド縁106からオムツの、組み合わされて対応する脚部開口セクションの場所までほぼ広がることができる。例えば、おむつ20は、一対の長手方向に延びる側部縁領域110（図１参照）の指定された中間セクションによって形成された一対の側部方向に対向した脚部開口部を有する。各側部パネルは、少なくとも約4ｃｍの長手方向に広がることができ、任意的には少なくとも約5ｃｍ広がることができ、少なくとも約6ｃｍ広がると、改善されたフィット性を与えることになる。
本発明の様々な構造において、側部パネルは、選択されたおむつ成分で一体的に形成されていてもよい。例えば側部パネル90は、バックシート層22を形成する材料層から一体的に形成されてもよいし、もしくはトップシート24を形成するのに使用される材料から形成されてもよい。別の構造において、側部パネル90は、バックシート22、トップシート24に接続され、組み合わされ１つか２つ以上の分離した部材によって、バックシートとトップシートの間に、この様な組立ての様々な固定取付けの組み合わせで形成されてもよい。
本発明の特定の態様において、側部パネル90のそれぞれは、分離して形成された材料片から形成され、おむつ物品の選択された前側又は背部ウエストバンド部分に適切に組立てられ、取付けられる。本発明の図示した実施例において、例えば、各側部パネル90は、側部パネル取付けゾーン94に沿ってバックシート22の背部ウエストバンド部分に取付けられており、物品のバックシート及びトップシート成分のいずれか、もしくは双方に作動的に取付けられている。図示した構造では、物品のウエストバンドセクションの対応した側部端部縁領域で重ねられ、積層された各側部パネルの内方取付けゾーン領域を有する。側部パネルは、側部方向に延びており、おむつの一対の対向したウエストフラップセクションを形成するようになっており、接着結合、熱結合、超音波結合、クリップ、ステープル、ソーイング等のような適切な接続手段で取付けられている。望ましくは、側部パネルは、バックシート層とトップシート層の末端側部縁を超えて、物品の取付けウエストバンドセクションにおいて側部方向に延びている。
側部パネル90は、ポリマーフィルム、織り布、等及びこれらの組み合わせのようなほぼ非エラストマー材料から構成されていればよい。本発明の特定の態様において、側部パネル90は、伸長結合された積層（ＳＢＬ）材料、ネック結合された積層（ＮＢＬ）材料、エラストマーフィルム、エラストマーフォーム材料等のような実質的にエラストマー材料から構成されており、少なくとも側部方向88に沿って弾性的に伸長可能である。例えば、側部パネル88を形成するための適切なメルトブローエラストマー繊維ウェブが、1967年５月５日に付与された米国特許第4,663,220号に開示されており、本発明は、この特許明細書の記述を本明細書の一部とする。繊維弾性層に固定された不織紡織布の少なくとも１層からなる複合布の例が、1987年４月８日に発行された欧州特許出願番号第EP0217032A2号に記載されており、本発明は、この特許明細書の記述の全てを引用し、本明細書の一部とする。ＮＢＬ材料の例が、1993年７月13日に付与された米国特許第5,226,992号に記載されている。本明細書は、この特許明細書の記述を引用し、本明細書の一部とする。
前述したように、様々な適切な構造が側部パネル90を物品の選択されたウエストバンド部分に取付けるのに用いることができる。外側カバーの側部方向に対向した側部領域と物品の線形成分を超えて側部方向外方に延びるように、一対の弾性的に伸長可能な部材を物品の側部方向に固定するための適当な構造の特定の例が1990年７月３日に付与された米国特許第4,938,753号に記載されており、これを本発明の一部として引用する。
側部パネル90が弾性化された、もしくは弾性的に伸長可能であるように構成された材料から構成されている場合には、エラストマー側部パネルは、加えれられた荷重（約0.58ニュートン）の方向に垂直に測定されたサンプル寸法の0.33ポンド／線形インチの引張力を受けると、少なくとも約30パーセントのピーク荷重において延びることが好ましい。あるいは、エラストマー側部パネル材料が、少なくとも約100％の伸びを形成し、任意的には、少なくとも約300％の伸びを形成し、改善された性能を与えるようになっている。
側部パネルのそれぞれは、オムツ20の少なくとも一つのウエストバンドセクションの対向した側部端部から側部方向に延びている。図示した実施例において、各側部パネルは、バックシート22の背部ウエストバンドセクションの対向した側部内から側部方向に延びている。各側部パネルは、長手方向に延びる長さ寸法を有する比較的外方の末端自由端部領域92を含む。
各側部パネルは、側部方向に延びる幅寸法と、トップシート層とバックシート層のいずれか一方又は双方へのラップされた構造結合取付けを有するベース領域94を有する。図示された側部領域94は、比較的外方の自由端部領域92の長さよりも小さい。任意的には、ベース領域94の長さが比較的外方に伸びる自由端部領域92の長さよりも大きい。あるいは、側部パネルは、ほぼ長方形形状、またはほぼ台形形状を有していればよい。
応力ビームセクション98が、その外方自由端部漁期92に沿って側部パネル90のそれぞれの上に構成されており、引張応力を側部パネル領域に均等に分布できるようになっている。結合タブ44が、物品の使用中、着用者にウエストバンドセクションンを固定するように、側部パネル90の夫々の応力ビームセクションから側部方向に延びるようになっている。
本発明の特定の態様において、各結合タブ44は、図示したフック部材46のような選択された結合成分の内方の縁を、組み合わされて対応した側部パネル90に結合するキャリヤ層56を含む。キャリヤ層は、側部方向内方の第１側部領域と側部方向外方の第２の側部領域を有する。第１の側部領域は作動的な構造結合剤で、側部パネルに接合されるか、結合され取付けられている。側部パネル材料、キャリヤ層材料及び構造結合剤の構造は作動的な応力ビームセクション98を形成するように構成され、配列されている。任意的に、補強材料の付加的な層が応力ビーム領域に沿って含まれており、ビームの剛性を高め、側部パネルの長手方向の寸法に沿って応力を広げる能力を改善する。キャリヤ層56の内方領域が、側部パネル90の外方の自由縁部分92の長手方向の寸法94よりも小さい長手方向の伸長を有していればよい。もしくは、キャリヤ層56は、側部パネルの外方部分の長手方向の寸法94にほぼ等しいか（例えば、図１参照）大きい長手方向の伸びを有することができる。
フック材料46の部材がキャリヤ層の外方領域に作動的構造取付けで、積層されているか、接続され取付けられている。詳細には、図示したフック部材46は、フックエレメントが物品のほぼ内方に延びる状態で、キャリヤ層の内方体側面に積層されている。図示した構造に関し、第２のキャリヤ縁領域の外方側部方向の遠い方の縁がフック部材46の外方側部方向の遠い方の縁と一致している。あるいは、第２のキャリヤ縁領域の外方側部方向遠い方の縁が、フック部材46の末端側部方向の遠い方の縁から側部方向内方に間隔が空けられていてもよい。いずれの構造においても、フック部材46の側部方向に遠い方の縁が物品の側部方向の末端縁を形成することになる。
側部パネル部材90の長手方向に延びる、比較的外方の縁が、選択された結合領域の長手方向に延びる比較的内方の縁からキャリヤ空間距離だけ離れていてもよい。空間距離は、結合領域の側部方向の延長部に等しいか、これよりも大きい側部方向の延長部を有する。さらに、キャリヤ層56の内方に面する、体側面が、フックエレメント52との限られた機械的相互係合性を有するように構成されている。この結果、ファスナータブ44は長手方向に延びる線に沿って折り曲げられ、フックエレメントがキャリヤ層56の体側面に配置され保持された状態で、結合領域を収納位置に選択的に配置し、構成するようになっている。フック材料とキャリヤ層との間の係合レベルが収納位置を維持するのに十分であることだけが必要である。例えば、係合は、約１から50グラムの力の範囲内で単一ピークの剥離力値を与える。より大きな剥離値レベル値が形成されることがあるが、このようなレベルのために、フック材料を収納位置から分離して離し、通常の最初の結合位置にすることを更に厄介なものにする。キャリヤ層の体側面が曝露された布でない場合には、所望の係合が、布または別のメッシュ状材料の作動成分を体側面に取りつけることによって、行なわれる。
本発明の特定の構造において、キャリヤ材料層56は、ポリマーフィルム、織り布、不織布等及びこれらの組み合わせのような実質的に非弾性的な材料から構成できる。あるいは、キャリヤウェブ材料は、伸長結合された積層（ＳＢＬ）材料、ネック結合積層（ＮＢＬ）材料、エラストマーフィルム、エラストマーフォーム材料またはこれらの組み合わせのような、実質的にエラストマー材料から構成されていればよい。エラストマー材料は少なくとも側部方向88にほぼ沿って弾性的に伸長可能である。図示した構造において、例えば、キャリヤウェブ材料は、スパンボンド繊維の向かい合って面する２つの層の間に挟まれたメルトブロー繊維からなるコアを有するスパンボンド-メルトブロ-スパンボンド（ＳＭＳ）布から形成されており、約50から67ｇ／ｍ2（約1.5からｏｚ／ｙｄ2）の範囲の坪量から構成されている。別の例として、キャリヤウェブ材料は、約50から67ｇ／ｍ2（約1.5からｏｚ／ｙｄ2）の範囲の坪量を有する。
本発明の様々な構造に協働的に利用される機械的ファスナーが、本、バックル、スナップ、ボタン等のような機械的ファスナーにより形成でき、協働する補完的な機械的ロック成分を含む。本発明の特定の態様において。結合手段は、フック及びファスナーシステム、マッシュルーム及びループファスナーシステム等（集合的にフック及びループファスナーといわれる）により形成できる。このような結合システムは、一般的にフックあるいはフック状雄成分、およびフック成分と係合し、取外し可能に協働するループ又はループ状雌成分からなる。相互接続は選択的に取外し可能であることが望ましい。例えば，従来のシステムは、例えばＶＥＬＣＲＯ（トレードマーク）として入手できる。
適当なフック及びループ結合システムの例が1991年５月28日に付与された米国特許第5,019,073号に記載されている。本発明は、これを引例として組み入れる。別のフック及びループ結合システムの例が、1994年12月28日に出願された米国特許出願番号第366,080号、1995年４月13日に出願された同第421,640号に記載されており、本発明はこれらを引用し、これらを本明細書の一部とする。キャリヤ層56で構成された結合タブの例が米国特許出願番号第08／603,477号に記載されている。本発明は、これを引例として本発明に組み入れる。
フック及びループ結合システムの一般的な構造において、フック材料部材46は結合タブ44に作動的に結合されており、ループ材料80は少なくとも一つの協働ランドゾーン78を構成するように用いられている。例えばランドゾーンはバックシート22のむき出しになった外側面の上に適切に配置できる。前述したように、フック及びループ結合システムの別の構造が、ファスナータブ44に固定されたループ材料を有していればよいし、ランドゾーン78を形成するのに用いられたフック材料を有していてもよい。
本発明の特定の態様において、フック材料部材46はマイクロフック材料といわれるものである。ランドゾーンは、適切なマイクロフック材料CS200として、ミネソタ州セントポール所在の３Ｍカンパニーから入手できる。マイクロフック材料は、マッシュルームのキャップのような形状のフックを有しており、約1600フック／平方インチ、0.003から0.097ｃｍ（約0.013から0.038インチ）のフック密度、約0.025から0.033ｃｍ（約0.01から0.013インチ）のキャップ幅を有して構成されている。フックは約0.0076から0.01ｃｍ（約003から0.004インチ）の厚さ約15mgfのガーレイ剛性を有するベースフィルム基材に取付けられている。
別のマイクロフック材料は、VELCRO CFM−29 1058CS200として、ニューハンプシャー州マーサチュセッツのVELCRO U.S;.Aインクから入手できる。
マイクロフック材料は、角度が付いたフックエレメントの形状でフックを有し、約264フック／平方センチメートル（約1700フック/平方インチ）のフック密度、約0.030から0.063cm（約0.012から0,025インチ）のフック高さ、約0.007から0.022cm（約0.003から0.009インチ）のフックを有して構成されている。フックエレメントは、約0.0076から0.008cm（約003から0.0035インチ）の厚さを有するベース層基材値同時に押し出され、フック材料の部材は約12mgfのガーレイ剛性を有する。
本発明に関し、様々なガリー剛性値が、試験される成分の長さと幅によりほぼ形成された平面に対し垂直方向に向けられた力によって発生した曲げモーメントに関し求められる。本明細書に記載した剛性値を求めるため適当な技術が、ガーレイ剛性試験であり、これの説明はTAPPI標準試験T543om-94（紙の曲がり抵抗（ガーレイタイプのテスター））に記載されている。適当な試験装置は、ニューヨーク州トロイ所在のテレダインガーレイニより製造されたガーレイディジタル剛性テスター、モデル4171-Dである。この器具によって、装置のポインター上の３つのうち１つの位置に5,20,50又は200グラムのウエイトと様々な範囲の長さと幅を組み合せて使用することによって、広い範囲の材料を試験できる。本発明の記載のために、ガーレイ剛性値は標準サイズのサンプルにより作られた値に相当するものである。従って、ガーレイ剛性テスターからのスケールの読み取り値は、標準サイズのサンプルの剛性に適切に変換され、重量ミリグラム力（mgf）で一般的に記録される。現在、標準“ガーレイ単位”は、1mgfの剛性値に等しく、ガーレイ剛性を記録するのに等価的に用いてもよい。標準サイズのサンプルは、１インチの幅と、公称長さ３インチ（3.5インチの実際の長さ）を有する。サンプルの実際の長さは、公称長さであり、クランプに固持するのに更に0.25インチの長さが加えられ、ベーンと重なるために更に0.25インチの長さが加えられる。非標準的サイズの試験サンプルで発生したスケール読み取り値を取り出し、読み取り値を標準サイズのサンプルの剛性に変換するための係数表がテレダイン・ガーレイにより作られたガーレイ剛性テスターに関するインストラクションマニュアルの中で得られる。従って、適切な変換係数が標準サイズのサンプルに対応する適切な値を求めるのに使用される限りは、別の試験サンプルに関し定められた寸法を用いることができるので便利である。本発明の様々な構造において、適切なループ材料を不織布、織り布又はニット布により形成できる。
例えば、適当なループ材料布は、ノースカロナイナ州グリーンスボロフ所在のグリフォードミル・インクから入手可能な商標登録名＃34285及び別のニットフアブリックから構成できる。適当なループ材料が、SCOTCHMATEブランドとしてナイロン織りループを販売している３Ｍカンパニーからも入手できる。３Ｍカンパニーは、ウエブの裏側に接着剤が付いたライナーなしループウェブおよびニッティングされたループテープも販売している。
本発明の特定の態様において、ループ材料は別個のランドゾーンパッチに限られる必要はない。代りに、例えば、おむつ20に関し使用された布状の外側カバーのむき出しになった全表面積をほぼ超えて延びるように一体化された、実質的に連続した外側繊維層により、ループ材料を形成できる。その結果選られた布状バックシート22は作動的な“どこでも結合する”機械的結合システムのループ材料を形成できることになる。
本発明の様々な構造における結合エレメントは、本発明の物品の様々な別の成分を構成し共に保持するのに使用された、１つか２つ以上の取付け機構を用いることによって、ベース層に作動的に取付けてもよい。好ましくは、様々な結合領域における結合エレメントは、組み合わされるベース層に従って、成形、同一押し出し等によって一体的に形成されていればよい。ベース層と機械的結合エレメントは、実質的に同一のポリマー材料から形成でき、結合エレメントを、最初に分離したフックベース層に取付ける別の段階は必要ではない。例えば、初期の結合領域の図示した構造において、図示したフックエレメント52は、ベース層とフックエレメントを実質的に同じポリマー材料から同時に押し出すことによって、フックベース層と同時に一体的に形成されている。
ベース層と取付けられた結合成分との間の取付け又は別の接続の強度は、結合タブ44を剥離可能な固定から剥離し、指定された物品のランドゾーンに達するのに必要なピーク力よりも大きくなければならないことが容易に理解できる。
少なくとも第１のフィットパネル36がウエストバンドセクションの少なくとも一つの内面66に固定する。例えば、内部フィットパネル36は、前側ウエストバンドセクション38（例えば、図１参照）、もしくは背部ウエストセクション（例えば、図２参照）の内部表面に配置され、取付けられていればよい。任意的には、第１のフィットパネルセクションは、前側ウエストバンドセクション38のない部面と重なり、取付けることができ、別の第２の内部フィットパネルセクションを、背部ウエストバンドセクション40（例えば図４参照）の内部面に同時に取りつけることができる。
フィットパネル36は、フィットパネルの基本線54に沿って摩擦値の非等方性従属摩擦係数を有する。フィットパネル材料の基本線とは、パネル材料が、相対的に最高の係数摩擦値を呈することができるようになる線である。
フィットパネル36上で、側部方向に延びる長手方向に中心となる側部方向に延びる線100に向けられている第１の比較的内側の基本方向62に摺動すると、フィットパネルは、第１の摩擦係数値を呈する。フィットパネル36上で、第１の基本方向62に実質的に反対方向に向けられる第２の比較的外側の基本方向64に摺動すると、フィットパネルは、異なった第２の摩擦係数値を呈する。摩擦係数値は、特定の動的または力学的摩擦係数の測定から求められた相対的値であり、これを相対摩擦係数とする。本発明に関し、この様な摩擦係数値を、本明細書に詳細に記載する摩擦試験手順を用いることによって求めることができる。第１および第２の基本方向に関し、最も効果的基本方向63は、摺動する対象物がフィットパネル材料によって得られた最大の摩擦係数に抵抗する摺動方向である。材料が列理を有する場合には、このような摺動動作は列理に対し動くとされる。本発明の様々な例示において、最も効果的基本方向は。対応する個本線54に沿って向けられている太字の単一の矢印により表されている。
本発明の所望の構造において、第１の摩擦係数値は、第２の摩擦係数値よりも小さい。そうでない場合には、第１の摩擦係数値は第２の摩擦係数値よりも大きく、特定の性能的利点を与えることができる。
本発明の特定の態様において、第１及び第２の摩擦係数値（大きい方の摩擦係数値）は、約1.0以上である。あるいは、より大きい摩擦係数値を約1.3以上とでき、任意的には、約1.4以上である。別の態様において、より大きい摩擦係数値は約2.4よりも小さい。あるいは、より大きい摩擦係数値は2.1よりも小さく、任意的には約2.0よりも小さく所望の性能的利点を与える。
本発明のさらに別の態様において、第１及び第２の摩擦係数値の小さい方（より小さい摩擦係数値）は約0.6よりも大きい。摩擦係数値のより大きい方は約0.7以上であり、任意的には約0.8以上である。更なる態様において、大きい方の摩擦係数値は、約1.9よりも小さい。任意的には、小さい方の摩擦係数値は、約1.7よりも小さく、所望の性能を与えるには約1.5よりも小さい。
本発明のさらに別の態様において、大きい方の摩擦係数値と小さい方の摩擦係数値との割合は、約1.15：1よりも大きい。あるいは、大きい方の摩擦係数値と小さい方の摩擦係数値との割合は、約1.17：1よりも大きく、任意的には約1.19：1よりも大きい。別の態様において、大きい方の摩擦係数値と小さい方の摩擦係数値との割合は、約3.00：1よりも小さい。大きい方の摩擦係数値と小さい方の摩擦係数値との割合は、約2.80：1よりも小さく、改善された性能を与えるためには、約2.60：1よりも小さい。
所望のフィット性を与えるのに役立つために、本発明の様々な構造では、第１及び第２の摩擦係数値の数字的差（第１及び第２の摩擦係数値のうちより大きい方の値から減算された小さい方の値）が約015よりも大きいという構造を有することができる。そうでない場合には、第１及び第２の摩擦係数が約0.2よりも大きく、任意的には約0.24よりも大きい。
更なる態様において、本発明の様々な設計では、第１及び第２の摩擦係数値の数字的差（第１及び第２の摩擦係数値のうちより大きい方の値から減算された小さい方の値）が約1.5よりも小さいという構造を有することができる。そうでない場合には、第１及び第２の摩擦係数が約1.35よりも小さく、任意的には、性能において所望の改善を与えるためには約1.15よりも小さい。
本発明の様々な態様において、フィットパネル36の材料が、着用者の皮膚、または補助的フィットパネル70を、取外し即ち係合解除に必要な実質的ではない剥離力以上を要する取付けで係合しない。詳細には、フィットパネル材料は、皮膚又は別の接触層に結合する接着又は接合的な剥離力を実質的形成していない。
様々なフィットパネル36と70の方向従属性摩擦係数値が、基本線54に沿ってほぼ整列される方向性列理を有する織り布又は不織布によって形成できる。図９に図示したように、例えば、個々の繊維は、ほぼ布の列理に沿って整列される配向で構成された多くの繊維を有する布を含むことができる。さらに、個々の繊維は固定した端部と、これとは反対側の固定されていない端部とを有することができる。ほとんどの繊維は、布の水平ベース面に対し非垂直方向に構成されており、繊維はカールされ、曲げられ、傾斜され、そうでない場合には、基本線54にほぼ沿って水平方向の成分を有する傾斜線に沿った繊維のゆるい端部に向くようになっていることが好ましい。その結果、第１の方向に基本線に沿って摺動すると、布が第１の摩擦係数値を呈する。第１の方向に基本線に沿って摺動するとき、布は第１の摩擦係数値を呈する。第１の方向に対向した（反対）方向に布の基本線に沿って摺動すると、布は第１の摩擦形数値とは異なる第２の摩擦係数値を呈する。
本発明の様々な態様と構造に組み入れられたフィットパネルは、不織布から構成できる。この様な不織布の例が、布の平面に対し非垂直であり、同一の共通方向にほぼ沿った地点に付勢される構造に、表面繊維を配向するように処理されたフロック加工された不織布を含む。
あるいは、本発明の様々な態様と構造に関し組み込まれた様々なフィットパネルは、織り布からなる。適切な織り布としては、ベルベット布、プリーツ加工去れた布及びこれらの組み合わせを含むことができる。
任意的に、本発明に組み込まれた様々なフィット性パネルが変性されたフィルムのような不織布から構成できる。この様な不織材料の例は、穴が空いたフィルム、成形された突出エレメントを有するフィルム、エンボス加工されたり、変性された凹部を有するフィルム等、及びこれらの組み合わせを含む。変性は、変性されたフィルムの面に沿って摺動するときの非等方性摩擦係数を与えるように適切に構成されている。例えば、フィットパネルは、基材の表面から離れて延びている突出エレメントを有する基材を備えたフィルム材料から構成されていればよい。フィルム材料、特に突出エレメントは、材料の基本線にほぼ沿って配列された方向性列理を形成することになる。適切な変成されたフィルムは、ミネソタ州セントポール所在の３Ｍコーポレーションから入手できるXMH-4130／CS-200材料のような生成されたポリマー層であればよい。マイクロフック材料はほぼ共通の方向に沿って一致して配向し、ほぼ共通の方向に沿って好ましい方向に付勢された延長突出部を備えたベース層を有する。
本発明の様々な構造において、各フィットパネルは、物品の末端側部と端部縁から内方に選択された距離を延びており、選択されたパネル領域を超えて延びている。好ましくは、各フィットパネルは約1ｃｍ2より大きい作動的領域を有している。或いは。各フィットパネル領域は、約2ｃｍよりも大きく、任意的には約5ｃｍ2よりも大きい。別の態様において、フィットパネル領域は約500ｃｍ2よりも小さい。若しくは、フィットパネル領域は、350ｃｍ2よりも小さく、任意的には約200ｃｍ2よりも小さい。
図１を参照すると、内部フィットパネル36をトップシート層24の体側面に積層でき、収納フラップ82はトップシート層の体側面と重なるように構成できる。あるいは、内部フィットパネル36は、トップシート層24の体側面に積層で、収納フラップ82の（例えば図７参照）体側面と重なるように構成できる。この結果として、内側フィットパネル36の主要部は、着用者の皮膚と接触するように構成されている。図示するように、フィットパネル36は、ほぼＵ字形状である。Ｕ字形状は、図示するように構造に角度がつけられており、曲線状でもよい。Ｕ字形状のベースは、物品の長手方向末端縁領域に沿って側部方向に延びている。Ｕ字形状の延長アームは物品の側部方向末端側部縁に沿って長手方向に延びており、１つの延長アームが物品の各側部縁に配置されている。さらに、Ｕ字形状の延長アームセクションの比較的内方の縁は、収納フラップの内方可動縁83の動作を妨げないように対応する収納フラップ82と少なくとも部分的に重なり合う。
パネル36の基本線54が長手方向の方向86に沿って延びている。図示した構造において、相対的に内側の基本方向に沿ってフィットパネル上を摺動するとき示された摩擦係数値が、対向した方向の基本方向に沿って摺動するときに示された摩擦係数値よりも小さい。従って、最も効果的な基本方向63は基本線54の比較的外側方向に沿っている。
相対的に大きい方の摩擦係数値は、少なくとも約1.0である。あるいは、相対的に大きい摩擦係数値は少なくとも約1.3であり、任意的には少なくとも約1.6である。
相対的に小さい方の摩擦係数値は約2.0以下であることが望ましい。あるいは、相対的に小さい方の摩擦係数値は約1.7以下であり、任意的には約1.4以下である。
図２と図２Ａを参照すると、物品が，図示した背部ウエストバンドセクション40のような少なくとも一つの選択されたウエストバンドセクションに沿ってトップシート層24の体側面と重なるように構成されたウエストフラップ部材120を含むことができる。任意的に、ウエストフラップ部材120は、ウエストバンドセクション38と40のいずれか、または双方に同じように配置できる。所望の構造において、ウエストフラップ部材120は、少なくとも横方向88に沿って弾性的に収縮可能であり、伸長可能であるように構成される。図示した構造において、内側フィットパネル36は、ウエストフラップ部材120の体側面に適切に積層され、取付けられた成分が別に形成されている。あるいは、内側フィットパネルは、ウエストフラップ部材の材料と一体的に形成された成分であってもよい。フィットパネル部分は、物品の末端側部と端部縁から内方に選択された距離だけ延びており、選択されたパネル領域を超えて延びている。
内側フィットパネル36の図示した構造は、長手方向86にほぼ沿って整列された基本線54を含んでいる。外方の基本線に沿って摺動するときに表す摩擦係数値が内側基本線に沿って摺動する時の摩擦係数値よりも大きいことが好ましいが、逆の場合の構造も採用できる。図示した構造において、最も効果的基本方向63は、基本線54の相対的外方向に沿っている。
別の態様において、フィットパネル36は、少なくとも物品の横方向88に沿って、フィットパネルに対し、弾性的伸長性を与えるための弾性化機構を含むことができる。弾性化機構は、弾性的に収縮可能な状態で脚部弾性部34とウエスト弾性部32を取付けるのに採用されるのと同じ手段で、弾性的に収縮可能な状態で、フィットパネル36に取付けられる１つか２つ以上のエラストマー部材により形成される。あるいは、弾性化機構は、フィットパネルをエラストマー材料から構成することによって形成される。
図３と３Ａを参照すると、内部フィットパネル36は、選択された複数の別個に分離して構成された内部フィットセクションに分割される。図示した構造において、例えば、一対の間隔の開いた内部フィットパネルセクション36aと36bが物品の前部ウエウストバンドセクション38の２つの側部方向に対向した両端部に近接して配置されている。フィットパネルセクションは、トップシート層24の体側面に適切に積層され、取付けることができ、収納フラップ82の体側面に重なるようにも配置できる。図示したフィットパネル部分がほぼ長方形であるが、所望であれば直線又は曲線形状で構成されていればよい。図示した構造の特定の態様において、各フィットパネルセクションの側部方向内方の縁が、対応した収納フラップ82の側部方向内方の縁83を超えて延びていない。
図示した構造では本発明の特定の態様を表している。即ち、各フィットパネルセクションの基本線54は長手方向86に対し選択された角度72で傾斜されている。
図示するように、傾斜角72は物品の基本線54と長手方向86との間に形成された円弧角である。好ましくは、円弧角72は約５度以上である。傾斜角は約15度以上、約25度以上である。別の態様において、傾斜角72は約85度以下である。あるいは、傾斜角は約65度以下であり、約50度以下である。図示した例において、傾斜角72は約45度である。従って、各フィットパネル部分36aと36bの基本線54は、基本線に沿って物品の末端周縁縁に沿って動く時に求められるような、物品の長手方向に延びる中心線102から離れるように分岐している。図示した構造では、基本線45のほぼ外方向に沿って物品の末端境界縁に向かって延びている最大方向63を有する。
図４と４Ａを参照すると、内側フィットパネル36は、図示した４つのフィットパネル部分36a，36b，36cおよび36dのような複数のフィットパネルを含むことができる。本発明の図示した態様では、トップシート層24の体側面に作動的に積層され固定され、背部ウエストバンドセクション40と前部ウエストバンドセクション38の側部縁116，118にそれそれ近接して配置されているフィッパネル部分を有する。各フィットパネル部分は、物品の末端側部と端部縁から内方に選択された距離だけ延びており、選択されたセクション領域を超えている。更に、図示した構造は、各フィットパネル部分36a，36b，36cおよび36dの体側面上に重なるように配置された収納フラップ82を有する。
好ましくは、各フィットパネル部分は約15ｃｍ2以上の断面積を有することができる。そうでない場合には、各フィットパネル部分の断面積は、約20ｃｍ2以上であり、任意的には約30ｃｍ2以上である。別の態様において、各フィットパネル部分は、約300ｃｍ2以下の断面積を有する。そうでない場合には、各フィットパネル部分の断面積は、約200ｃｍ2以上であり、改選された性能を得るためには任意的には約150ｃｍ2以下である。
各フィットパネル部分36a，36b，36cおよび36dは個々にそして別個に構成されている。例えば図示した構造において、各フィットパネル部分は不連続であり、別のフィットパネル部分から間隔を空けて分離されていればよい。この結果、各フィットパネル部分は、物品の長手方向86に対し測定されるように、図示した傾斜角72のような所望の内方又は外方の傾斜角で配置された個々の基本線を有するように別個に構成できる。前述したように、傾斜角72は、個々の基本線54と物品の長手方向86都の間で形成された円弧角である。図示した構造では、基本線54の外方向に沿って、物晶の末端境界縁の方向に延びている最大方向63を有する。
図示した構造において、各フィットパネル部分36a，36b，36cおよび36dは分離して形成され、別個に構成されたエレメントである。本発明の任意的な構造では、図示したトップシート層24のような別のおむつ成分の材料で一体的に形成されている１つか２つ以上のフィットパネル部分を含むことができる。図５，５Ａおよび５Ｂを参照すると、物品のほぼ最も外側の面を形成するように接続された少なくとも一つの補助フィットパネル70を含むことができる。例示するように、一対の補助フィットパネル部分70a及び70bのそれそれが前部ウエストバンドの側部縁領域118に近接し、これに沿って接続されている。図示した補助フィットパネル部分はほぼ長方形であるが、所望のように直線又は曲線形状で構成されていればよい。更に、各補助フィットパネル部分は、図示するように指定された結合ランドゾーン78と実質的に側部方向に整列している。
各補助フィットパネル部分70aと70bは基本線54に沿った方向従属摩擦係数を有する。すなわち、相対的に内方の第１の基本線62に沿って摺動するときに現れる摩擦係数値は、相対的に外方の基本方向64に沿って摺動するときに現れる摩擦係数値とは異なる。図示した構造において、例えば、相対的に外側の基本方向に沿ってフィットパネル上を摺動するとき現れる摩擦係数値は、相対的に内方の基本方向に沿って補助フィットパネル部分を摺動するときに現れる摩擦係数値よりも大きい。従って、最大基本方向63は基本線54の相対的外側方向に沿っている。さらに図示した構造の例では、長手方向86にほぼ沿って整列された補助フィットパネル部分の基本線を有する。任意的には、各補助フィットパネル部分の基本線は、本明細書に記載した傾斜角72（例えば、図４参照）に類似した選択された傾斜角を有していればよい。
図示するように、物品は、物品の体側面と重なり、取付けられ、背部ウエストバンド側部縁領域116にほぼ近接して配置されている、図示したフィットパネル部分36cおよび36dのような選択された複数の内部フィットパネル部分を含むことができる。図示した構造において、各内部フィットパネル部分が、組み合わされる側部パネル部材90の実質的に最も内側の体側面を形成するように積層され結合されている。好ましくは、各内部フィットパネル部分は、組み合わされて近接するファスナータブ44の結合領域とほぼ側部方向に整列することが望ましい。
フィットパネル部分36cおよび36dの各々が基本線54に沿った方向従属摩擦係数を有することができる。例えば、図示した構造は長手方向86とほぼ平行に整列された各内部フィットパネルの基本線を有することができる。さらに、内部フィットパネル部分は、対向した外方の基本方向64に沿って摺動するときに現れる摩擦係数値とは異なる内方の第１の基本線62に沿って摺動するときに摩擦係数値を呈することができる。特定の態様において、図示した構造において、例えば、第１の基本線に沿って各フィットパネル上を摺動するとき現れる摩擦係数値は、外方の基本方向に摺動するときに現れる摩擦係数値よりも大きい。従って、最も効果的な基本方向63は基本線54の相対的内側方向に沿っている。
別の構造において、内部フィットパネル部分の基本線が、物品の長手方向86に対し選択された傾斜角72で配置されている。傾斜角72は、長手方向に対向した外側補助フィットパネル部分70aと70bそれぞれの基本線の傾斜角74にほぼ等しい傾斜角72で、内部フィットパネル部分36cと36dの基本線を位置決めするように選択されていることが好ましい。
ファスナータブ44が、前後ウエストバンドセクションを着用者に固定するためにランドゾーン78に結合されると、各内部フィットパネル部分36cおよび36dのそれぞれが、対応する長手方向の対向した補助フィットパネル部分70a，70bそれぞれに作動的に接触し係合するように配列され構成されている。協働して係合されると、２つの組み合わされ、接触するフィットパネル部分（例えば、70aと36c）が相互にほぼ整列する各基本線を有することができ、組み合わされるフィットパネルの最も効果的基本方向が、もう一方のフィットパネルの最も効果的基本方向から約１８０度配向している。このように係合されると、一方のフィットパネル部分の摺動に対する他方のフィットパネル部分の摺動に関し求められるような、小さい方の摩擦係数に対する大きい方の摩擦係数値の比が、摩擦試験手順において使用された基材に対する係合されたフィットパネル部分のそれぞれを別個に試験するときに測定される場合よりも大きい。協働的に係合されたフィットパネル部分が相互にわたり引き出され、大きい方の摩擦係数値の方向と小さい方の摩擦係数値の方向とを求めるようになっている。この構造において、小さい方の摩擦係数値に対する大きい方の摩擦係数値の比は、1.2：1以上である。あるいは、小さい方の摩擦係数値に対する大きい方の摩擦係数値の比は、1.4：1以上であり、約1.6：1以上である。更なる態様において、小さい方の摩擦係数値に対する大きい方の摩擦係数値の比は、2.85：1以下であり、改善された性能を得るためには2.70：1以下である。
図６と６Ａを参照すると、本発明の別の態様では、内部フィットパネル36が収納フラップ82の１つか２つ以上の成分として構成されているおむつ物品を提供している。図示するように、各収納フラップは、１つか２つ以上の作動的に別個の内部フィットパネル部分を含むことができる。特定の態様において、第１の収納フラップは、この収納フラップの皮膚が接触する体側表面を形成するように作動的に取付けられた一対の長手方向に対向したフィットパネル部分36aと36cを有する。同様に、第２の収納フラップは、この収納フラップの皮膚が接触する体側表面を形成するように作動的に取付けられたフィットパネル部分36bと36dのような一つか二つ以上で任意的に別個の内部フィットパネル部分を含むことができる。図示した構造において、各内部フィットパネル部分の基本線54が長手方向86にほぼ平行である。任意的に、各フィッとパネル部分の基本線は、所望のように、長手方向86に対し選択された傾斜角で構成されている。
フィットパネル部分36aと36bは、前部ウエストバンドセクション38の方向に比較的オフセットされているのが好ましい。これらの前部フィットパネル部分に関し、内方の基本方向にフィットパネルに沿って摺動するときに現れる摩擦係数値が、外方の基本方向にフィットパネルに沿って摺動するときに現れる摩擦係数値よりも小さい。このように、フィットパネル部分36aと36bの最も効果的な基本方向63が基本線54の相対的外方に沿うことになる。
フィットパネル部分36cと36dは、前部フィットパネル部分36aと36bにより表された方向従属摩擦係数値にほぼ対向するように構成された方向従属摩擦係数値を有する。背部ウエストバンド縁から実質的に離れるように動く内側基本方向に背部フィットパネル部分を摺動するときに現れる摩擦係数値は、物品の長手方向の末端後部ウエストバンド縁方向に外方基本方向に沿って摺動するときに現れる摩擦係数値よりも小さい。このため、フィットパネル部分36cと36dの最も効果的な基本方向63が基本線54の相対的に外方の方向に沿うことになる。
図８と図８Ａとを参照すると、複数の側部部材124と126で構成された吸収性物品20aを形成する。側部部材は、所望であれば弾性的に収縮可能であり、伸長可能であってもよいし、そうでなくてもよい。例示した構造において、例えば第１の側部方向に対向した一対の側部部材124が物品の第１のウエストバンドセクションにおいて物品の側部に配置され、固定されており、第２の側部方向に対向した一対の側部部材126が物品の第２のウエストバンドセクションにおいて物品の側部に配置され、固定されている。図示した構造では、概略的に平坦な状態で図示されており、物品が部分的に組立てられて、部分的に完成している。図８Ａを参照すると、側部部材124aと124bが指定された側部シームに沿って組み合わされる側部部材126aと126bに結合され取付けられており、三次元のトイレ訓練用パンツ物品を形成するようになっている。トイレ訓練用パンツは、液体透過性トップシート層24と、実質的に液体不透過性バックシート層22及び、トップシートとバックシート層の間に挟まれた吸収性本体26とを含むことができ、トイレ訓練用パンツは補助ウエスト又は脚部弾性部、及び内部収納フラップを含むことができる。適当なトイレ訓練用パンツの例が、Ｐ．バン・ゴンペル他に1990年７月10日に付与された米国特許第4,940,464号に開示されており、本発明は、この特許明細書を引例として引用し本明細書の一部とする。
側部部材124と126の少なくとも一つ、好ましくはそれぞれが作動的に別個の内部フィットパネル部分を形成する。特定の態様において、物品の第１のウエストバンド端部が、側部部材124aと124bの皮膚に接触する面にそれぞれ配置されている一対の側部方向に対向したフィットパネル部分36aと36bを形成するように作動的に構成され、設計されている。同様に、物品の第２のウエストバンド端部が、側部部材126aと126bの皮膚に接触する面にそれぞれ配置されている一対の側部方向に対向したフィットパネル部分36cと36dとを形成するように作動的に構成され、設計されている。図示した構造において、各内部フィットパネル部分の基本線54は実質的に長手方向部分86にほぼ平行である。任意的には、各フィットパネル部分の基本線は、所望のように長手方向86に対し選択された傾斜角で構成できる。
フィットパネル部分36aと36bに関し、内方向基本方向にフィットパネルに沿って摺動するときに現れる摩擦係数値は、相対的に外方基本方向に摺動する時に現れる摩擦係数値よりも小さい。このように、フィットパネル部分36aと36bは基本線54の相対的外方に沿っている。
フィットパネル部分36aと36bは、後部ウエストバンドセクション40の方向に比較的オフセットされているのが好ましい。これらの後部フィットパネル部分は、フィットパネル36aと36bにより表される方向従属摩擦係数値にほぼ対向するように構成されている。背部ウエストバンド縁からほぼ離れて動く内方の基本方向に後部フィットパネルに沿って摺動するときに現れる摩擦係数値が、物品の長手方向末端後部ウエストバンド縁にほぼ向かって、外方の基本方向にフィットパネルに沿って摺動するときに現れる摩擦係数値よりも小さい。このように、フィットパネル部分36aと36bの最も効果的な基本方向63が基本線54の相対的外方に沿うことになる。完全に組立てられたトイレ訓練用パンツ製品は子供により着用され、高摩擦係数、最も効果的基本方向63は物品のウエストバンド境界に沿って延びる末端縁に向かってほぼ上方に延びている。
摩擦試験手順
本発明に関し、材料の摩擦係数値を求めるための適当な技術では、以下の手順を採用する。試験手順は、特に、布材料の試験とする。しかしこのような参照は、単に例示に過ぎず、本発明に組み入れられたフィットパネルを形成するのに採用される別の種類材料に関する相対的摩擦係数を求めるのに用いることができることが容易に理解できるであろう。この様な別の目的に関し、手順は、フィットパネル材料という用語を布という用語に置き換えることによって理解できる。
静摩擦係数値の代りに力学的摩擦係数値が、本発明を説明するのに使用される。本明細書において記載したような多くの材料に関し、静的摩擦係数は、力学的摩擦係数より大きい。例えば、これの差は、約10から100％とできる。特定の理論に拘束されるものではないが、力学的摩擦係数は、より再生可能であり、実際の製品使用状態をより表すものである。力学的摩擦係数は、1993年に発行された、以下の詳細を有するＡＳＴＭ法Ｄ1894-93装置を用いて求めることができる。
モニター／スリップ＆フリクションTMモデル32-06試験装置が200±５グラムのＣＯＦ（摩擦係数）試験スレッド、フォーム、パート番号32-06-02で使用される。これらの双方ともがニューヨーク所在のテスティング・マシンズ・インクから入手できる。
接触接着剤はスレッドにフォームを接合するのに使用できた。適切な接着剤は、ＰＡランカスター所在のアームストロング・ワールド・インクから入手できる。
約0.8から1.5ｍｍの厚さで22.9ｃｍ平方の厚紙の裏材料が座屈することなしに試験ベッド上に布を保持するのに使い捨て裏材料として用いられている。厚紙は試験の間著しく撓むことがないような十分な硬さでなければならない。
1/4インチ（0.635ｃｍ）の幅、透明なダブル側部取り付けテープ、３Ｍ＃665が、スレッドに布ストリップを保持し、厚紙裏材料に布ストリップを保持するのに使用された。このような接着テープは、ミネソタ州セントポール所在の３Ｍ社から入手できる。
試験見本
布が裏材料に取り付けるのに22.9平方ｃｍに切断され、スレッドに取り付けるのに6.4平方ｃｍの形状に切断された。
両面取り付けテープを用いて、大きな布の四角形を厚紙裏材料に取り付ける。多くの布は、各側面が異なる特性を有するような両面のものである。このような布が試験されると、関連のある面を識別し、布を裏材料から離れて面する関連のある面で布を取りつける。布の最大摩擦の方向は、相対的に最大の摩擦と相対的に最低の摩擦の方向を求めるのに、布に沿って摺動させることによって、感触と列理を観察し、感じることにより推定される。布が裏材料に取り付けられ、推定最大摩擦方向（高摩擦方向）は裏材料の四辺形の１側部縁に平行である。滑る方向となる、材料の最大または高摩擦方向は、材料の最高効果の基本方向に相当し、
これに沿って、滑る対象物が、フィットパネル材料によって得られる最大摩擦係数に抵抗する。摺動対象物がフィットパネル材料により得られた最大摩擦係数に抵抗する状態を、列理に対して摺動するという。
試験布が複数の狭い布ストリップして用意されている場合には、布ストリップは、全ストリップが同一方向に整列した状態で裏材料にテープで結合される。相互に平行に、相互に重なり合うことなく可能な限り近接して布ストリップを配置する。
布対布のＣＯＦ判定では、測定値の半分が、スレッドの動作と同じ方向に高い布の摩擦方向係数でスレッドに取り付けられた布に関し取られ、測定値の半分が、スレッドの動作と反対方向に高い布の摩擦方向係数でスレッドに取り付けられた布に関し取られことを要求する。布がスレッドにテープで取り付けられる。多くの布が両面を有し、各主な布の面する方の面が異なる特性を有する。このような布が試験されると、関連のある面を識別し、関連面が取り付けられるときにスレッドから離れて面することを確実にする。
装置の準備
器具を組み立てて、校正するための製造インストラクションに続く。
試験が0.5±0.1ft/分で実行される。
フォームに対する布手順
１．試験が開始されると、スレッドが布の列理に対し摺動するように向けられた試験ベッド上の裏材料に布を配置する。
２．スレッドピンをロードセルマウントに配置し、スレッドが中央であることを確実にする。
３．試験キーを押すことによって試験を開始する。
４．試験が終了すると、滑り止めガイドを持ち上げ、スレッドを取り除く。
５．入力を押し、力学的摩擦係数を記録する。
６．布サンプルを90度回転させ、８つの読み取り値が得られるまで段階１から６を繰り返す。
フォームに対する布計算
力学的ＣＯＦが、以下のように各作用角（試験中の前進方向）ごとに記録される。
第１と第５の値が平均されて結果Ａを作り出す。
第２と第６の値が平均されて結果Ｂを作り出す。
第３と第７の値が平均されて結果Ｃを作り出す。
第４と第８の値が平均されて結果Ｄを作り出す。
摩擦係数の比が特定の試験方向からの平均結果値と、180度対向した試験方から得られた平均結果値との間で計算される。さらに、数学的差が特定の試験方向からの平均結果値と、180度対向した試験方向から得られた平均結果値との間で計算される。
布対布手順
1．6.4ｃｍ平方の布をスレッドにテープで結合し、布が、これ自体の列理に対向する方向に摺動するように引っ張られるようにする。
2．スレッドが動き出すと、22.9ｃｍ平方の布の列理に対しスレッドが摺動するように22.9ｃｍ平方の布を試験ベッド上に配置する。22.9ｃｍ平方の布を試験ベッド上に固定する。
3．スレッドピンをロードセルマウントに配置し、スレッドが中央であることを確実にする。
4．試験キーを押し試験を開始する。
5．試験が終了すると、滑り止めガイドを持ち上げ、スレッドを取り除く。
6．入力を押し、力学的摩擦係数を記録する。
7．22.9ｃｍ布サンプルを90度回転させ、８つの読み取り値が得られるまで段階２から７を繰り返し、6.4ｃｍ平方の布がスレッドに取付けられ、6.4ｃｍ平方の布がこれ自体の列理に対し引っ張られるようにする。
8．スレッドから6.4ｃｍ平方の布を取除き、これを180度回転させてスレッドに再び取りつける。８個の別の読み取り値が得られるまで、段階２から７を繰り返す。
布対布の計算
力学的ＣＯＦが、以下のように各作用角（試験中の前進方向）ごとに記録される。
第１と第５の値が平均されて結果Ｅを作り出す。
第２と第６の値が平均されて結果Ｆを作り出す。
第３と第７の値が平均されて結果Ｇを作り出す。
第４と第８の値が平均されて結果Ｈを作り出す。
第９と第13の値が平均されて結果Ｉを作り出す。
第10と第14の値が平均されて結果Ｊを作り出す。
第11と第15の値が平均されて結果Ｋを作り出す。
第12と第16の値が平均されて結果Ｌを作り出す。
摩擦係数の比が特定の試験方向からの平均結果値と、180度対向した試験方向から得られた平均結果値との間で計算される。さらに、数学的差が特定の試験方向からの平均結果値と、180度対向した試験方向から得られた平均結果値との間で計算される。
基本線の決定
布対フォームおよび布対布の試験手順の双方に関し、摩擦係数比が特定の試験方向による平均試験値と、180度反対の試験方向による平均結果値との間で計算される。最大比を与える対向する対の平均結果値が、布の基本線を決定する。次の表１において、材料の基本線を決定する対向した対の結果値に適切に印がつけられる。
例
以下各例が本発明のより詳細な理解を与えるために提供されているが、本発明の範囲を制限するものではない。例１ないし８は、布対フォーム試験手順を採用し、例９ないし11は、布対布の試験手順を採用した。
例１
0.5インチ幅の３Ｍマイクロフック材料（XMH-4130,CS-200,5220P2b001-OP）のストリップが、並行に配置され、重なり合うことなく可能な限り近接させ、全列理が同じ方向に配向された状態で22.9ｃｍ平方のアツガミ裏材料に付与される。
（マイクロフック材料は、プラスチックフィルム基材を有し、プラスチックフックが表面から約0.7ｍｍ突出した状態である。ほとんどの一般的なマイクロフックは機械的ファスナーシステムの一部として使用される。）このマイクロフック材料は、摩擦係数に関し使用され、許容可能なフィットパネル材料であるための適切な特異な摩擦係数特性を有していた。この例の材料特性が表１に要約されている。
例２
この例は、約0.8ｍｍの繊維が表面から突出している、ギルフォード・ブランドスタイル57105、カラー46H1、深緑色、弾性ベルベットを評価した。ベルベットは、よい状態で定められている列理を有していた。この布は摩擦係数特性を判定するために試験され、許容可能なフィットパネル材料であるための適切な特異な特性を有していた。この例の材料特性が表１に要約されている。
例３
約0.8ｍｍの表面繊維を有する白色のベルベット繊維が摩擦係数特性を判定するために試験され、許容可能なフィットパネル材料であるための適切で特異な特性を有していた。この例の材料特性が表１に要約されている。
例４
約0.8ｍｍの表面繊維を有する赤色のベルベット繊維が摩擦係数特性を判定するために試験され、許容可能なフィットパネル材料であるための適切で特異な特性を有していた。この例の材料特性が表１に要約されている。
例５
約108ｍｍの配向した表面繊維を有する黒色のフェークファー繊維が摩擦係数特性を判定するために試験され、許容可能なフィットパネル材料であるための適切で特異な摩擦特性を有していた。この例の材料特性が表１に要約されている。
例６
この例のフロックフォームが毛羽立った面を有しており、繊維は約1.2ｍｍ突出していた。この面の繊維は、ベルベットとは異なり異方性である。この布は許容可能なフィットパネル材料であるための適切な特異摩擦特性を有しなかった。この例の材両特性が表１に要約されている。
例７
この例のサンプルＮＢＬ（ネック結合された積層）材料は、商業的に入手可能なＨＵＧＧＩＥＳ▲Ｒ▼Ｓｕｐｒｅｍｅ使い捨ておむつに見られる弾性化された伸張性側部パネル材料に相当する。ＮＢＬ材料はベルベット状ではなく、適当な方向従属摩擦係数特性を呈していなかった。ＮＢＬ材料は、この表面から突出する繊維をほとんど有しておらず、許容可能なフィットパネル材料であるための適切な特異摩擦特性を有しなかった。この例の材両特性が表１に要約されている。
例８
この例の圧搾されたベルベットが約0.9ｍｍの長さの表綿繊維を有していた。対向する方向の列理を有する材料の交互のバンドを有しており、許容可能なフィットパネル材料であるための適切な特異摩擦特性を有しなかった。この例の材料特性が表１に要約されている。
例９
この例の青色の椅子張り用布は、強度に配向した繊維、約1.4ｍｍの長さを有したベルベットであった。この布は、曲線状の表面繊維を有しており、許容可能なフィットパネル材料であるための適切な特異摩擦特性を有していた。この例の材料特性が表１に要約されている。
例10
この例のロイヤルブルーのベルベットは、チャーバートから入手できるスタイル30083であった。ラベルによれば、この材料は以下の特性を有していた。即ち、88％ナイロン及び13％スパンデックス、坪量6.90sy（234g/m2），この長さに沿った慎重性300％、幅に沿った慎重性145％、から構成されていた。これは、約1.0ｍｍ長さの配向された表面繊維を有する、うねった弾性ベルベット繊維であった。この布は、曲線状の表面繊維を有しており、許容可能なフィットパネル材料であるための適切な特異摩擦特性を有していた。この例の材料特性が表１に要約されている。
例11
この例の緑色がかった青色のベルベットがBarasスタイル72003であった。非伸縮性の裏材料に約1.2ｍｍの長さ綿繊維を有しており、許容可能なフィットパネル材料であるための適切な特異摩擦特性を有していた。この例の材料特性が表１に要約されている。
0004071288.tif 000002
0004071288.tif 000003
0004071288.tif 000004
0004071288.tif 000005
0004071288.tif 000006
例12
４つの中間サイズのおむつが準備され、図７に図示するように弾性バンド即ちウエストバンド120がおむつの裏の内面を横切って配置され、ファスナータブからファスナータブまでほぼ延びた状態で、準備された。しかし、これらのおむつはフィットパネルを含んでおらず、“標準”製品として指定された。
４つの試験おむつが、弾性バンド即ちウエストバンド部材120がおむつの裏面の内側に横切って配置され、ファスナータブからファスナータブにほぼ延びている状態で準備された。さらに試験おむつは、おむつの前側ウエストバンドセクションの内方体側面において固定されたフィットパネルを含んでいた。フィットパネルは図７に図したＵ字形状を有しており、例９に用いられた青色椅子張り用布から構成された。布の列理は、おむつの長手方向86にほぼ沿って整列された基本線が形成され、最も効果的な基本方向はおむつの股部分からおむつの広い方の縁の方に向かって指定された。
４人の子供が、上述した２種類のおむつをそれぞれ着用した。子供たち全貢が歩行でき、約11から14kgの体重であった。基準マークが各子供の下腹部につけられ、おむつの動き程度がおむつ関し評価された。約100グラムの塩水が各おむつに加えられ、子供たちは、評価前30分の間、歩き回り遊ぶことが許された。おむつの写真が撮られ、前部パネルの滑りを記録した。滑りの程度が１（最低滑り）から４（最大滑り）スケールでランク付けされた。結果が以下のようであった。
0004071288.tif 000007
この試験では、本発明のおむつが得意の摩擦を有するフィットパネルのない標準パネルよりもよい状態で所定の場所に保持できることを示した。
本発明を完全で詳細に記載してきたが、様々な変更と修正を本発明の精神から逸脱することなくなされることが容易にわかるであろう。この様な変更と修正の全てが、請求の範囲により定義された本発明の範囲内にあると考えられる。
【図１】
0004071288.tif 000008
【図１Ａ】
0004071288.tif 000009
【図２】
0004071288.tif 000010
【図２Ａ】
0004071288.tif 000011
【図３】
0004071288.tif 000012
【図３Ａ】
0004071288.tif 000013
【図４】
0004071288.tif 000014
【図４Ａ】
0004071288.tif 000015
【図５】
0004071288.tif 000016
【図５Ａ】
0004071288.tif 000017
【図５Ｂ】
0004071288.tif 000018
【図６】
0004071288.tif 000019
【図６Ａ】
0004071288.tif 000020
【図７】
0004071288.tif 000021
【図７Ａ】
0004071288.tif 000022
【図８】
0004071288.tif 000023
【図９】
0004071288.tif 000024
【図８Ａ】
0004071288.tif 000025